(57)【要約】【課題】  ある程度の数の災害時トイレについて、保管、運搬、使用後の利便性を高める技術を提供する。【解決手段】  開口側とは反対側の端部が閉じられた溶着辺（４１）を備えた収納袋（４０）に対して、溶着辺（４１）の開口側へ運搬時における運搬者の手を入れるための取っ手孔（４４）を補強するための板状の補強部材（５０）を挿入する補強部材挿入工程と、取っ手孔（４４）を形成する取っ手孔製造工程と、収納箱（６０）を収納空間（４０Ａ）へ収納した場合に、補強部材（５０）が収納箱（６０）側へ移動しないようにするための取っ手下溶着辺（４３）を形成する取っ手下溶着工程と、収納空間（４０Ａ）へ収納箱（６０）を収納する収納工程と、収納空間（４０Ａ）から脱気をする脱気工程と、脱気工程にて空気を抜いた状態で収納空間（４０Ａ）を密閉する脱気後溶着工程と、を含む収納袋の製造方法とする。【選択図】  図５
2020186053.tif 000002
【特許請求の範囲】
【請求項１】
非常時にトイレの汚物入れとなる処理袋を多数収納する収納箱を包む収納袋であって、防水性のある熱可塑性樹脂製とし、
収納空間の開口側とは反対側の端部が閉じられた溶着辺と、
その溶着辺の開口側へ運搬時における運搬者の手を入れるための取っ手孔と、
その取っ手孔を補強するための板状の補強部材と、
その補強部材５０が前記の取っ手孔における開口側にて取っ手孔の長手方向で所定位置に納まるようにするために収納袋を溶着する取っ手横溶着辺と、
前記の収納箱を前記の収納空間へ収納した場合に、前記の補強部材が収納箱側へ移動しないようにするための取っ手下溶着辺と、
前記の収納箱を前記の収納空間へ収納した状態で収納空間から脱気した状態で密閉するための脱気後溶着辺と、
を備えた収納袋。
【請求項２】
前記の脱気後溶着辺における前記の取っ手孔の側には、前記の取っ手下溶着辺を底面として再び収納空間を形成するために脱気後溶着辺を切り離す基準となる切断基準線を備えた
請求項１に記載の収納袋。
【請求項３】
前記の収納袋の素材である熱可塑性樹脂製は透明なものを採用し、
前記の補強部材には、収納袋の使い方の説明を印刷した
請求項１または請求項２のいずれかに記載の収納袋。
【請求項４】
前記の収納箱の外側であって前記の収納空間の内側には、折り畳んだ中袋を備え、
その中袋は、折り畳んだ状態から広げた状態として前記の収納袋に内包させ、前記の処理袋の使用済みのものを入れる不透明な袋体とした
請求項１から請求項３のいずれかに記載の収納袋。
【請求項５】
非常時にトイレの汚物入れとなる処理袋を多数収納する収納箱を包む収納袋であって、
防水性のある熱可塑性樹脂製で形成され、
前記の収納箱を収納空間へ収納した開口側を溶着して脱気した場合に、前記の収納箱の外形に対して余る部位を収納箱の輪郭に沿って折り畳んで折り返し片として形成し、
その折り返し片を向かい合わせてつなげる折り返し部固定片を備え、
その折り返し部固定片は、前記の収納袋と折り返し部固定片との間に手を入れて前記の収納箱を包む収納袋を持ち上げ可能であるように形成した収納袋。
【請求項６】
前記の折り返し部固定片には、持ち上げる部位である旨を記載した説明欄を備えた
請求項５に記載の収納袋。
【請求項７】
前記の収納袋は、透明であって、光触媒を有することとした
請求項１から請求項６のいずれかに記載の収納袋。
【請求項８】
請求項１から請求項８のいずれかに記載の収納袋へ収納され、非常時にトイレの汚物入れとなる処理袋を多数収納した収納箱。
【請求項９】
非常時にトイレの汚物入れとなる処理袋を多数収納する収納箱を包む防水性のある熱可塑性樹脂製の収納袋の製造方法であって、
開口側とは反対側の端部が閉じられた溶着辺を備えた収納袋に対して、前記の溶着辺の開口側へ運搬時における運搬者の手を入れるための取っ手孔を形成する取っ手孔形成工程と、
その取っ手孔形成工程で形成された取っ手孔を補強するための板状の補強部材を挿入する補強部材挿入工程と、
前記の取っ手孔を形成する取っ手孔製造工程と、
前記の収納箱を前記の収納空間へ収納した場合に、前記の補強部材が収納箱側へ移動しないようにするための取っ手下溶着辺を形成する取っ手下溶着工程と、
前記の収納空間へ前記の収納箱を収納する収納工程と、
前記の収納空間から脱気をする脱気工程と、
その脱気工程にて空気を抜いた状態で前記の収納空間を密閉する脱気後溶着工程と、
を含む収納袋の製造方法。
【請求項１０】
非常時にトイレの汚物入れとなる処理袋を多数収納する収納箱を包む防水性のある熱可塑性樹脂製の収納袋の製造方法であって、
開口側とは反対側の端部が閉じられた溶着辺を備えた収納袋に対して、補強部材を開口側から挿入する補強部材挿入工程と、
前記の溶着辺の開口側へ運搬時における運搬者の手を入れるための取っ手孔を形成する取っ手孔製造工程と、
前記の収納箱を前記の収納空間へ収納した場合に、前記の補強部材が収納箱側へ移動しないようにするための取っ手下溶着辺を形成する取っ手下溶着工程と、
前記の収納空間へ前記の収納箱を収納する収納工程と、
前記の収納空間から脱気をする脱気工程と、
その脱気工程にて空気を抜いた状態で前記の収納空間を密閉する脱気後溶着工程と、
を含む収納袋の製造方法。
【発明の詳細な説明】
【技術分野】
【０００１】
本発明は、収納物を水や外気から守る包装用袋に関する。たとえば、前期の収納物としては、災害時トイレを多数収納した箱である。
【背景技術】
【０００２】
自然災害が発生した場合に水道や電気が止まると、水洗トイレは使えない。その状況は、避難所においても同じである。そうした状況下で使用する災害時トイレは、糞尿を通さない内袋と、その内袋を覆う外袋とを、便器（非常用に組み立てられたものを含む）へ設置して使うのが一般的である。
【０００３】
災害時トイレについて、図１を用いて説明する。図１では、一般の便器ではなく、非常時に組み立てた箱状の便器１０を示している。この便器１０は、上面を開口した箱状の本体１１と、その本体１１における開口した縁においてトイレ使用者の太もも裏を支える便座部１２と、を備える。そして、その便座部１２の内側下方に内部空間１３を形成している。
【０００４】
トイレ使用者は、前記の便座部１２の外周よりも大きな開口を備えた外袋２０と、その外袋２０の内側に位置させる不透明の内袋３０とからなる処理袋を、前記の内部空間１３に対してセットする。具体的には、外袋２０の開口縁を前記の便座部１２へかぶせ、外袋２０の底部を前記の内部空間１３へ納める。前記の内袋３０は外袋２０の内側において、内部空間１３に収まる。
【０００５】
トイレ使用者は、外袋２０がかぶせられた便座部１２へ座り、内袋３０の内部へ用を足す。用を足したら、内袋３０の開口を紐で縛って閉じる。続いて、外袋２０を便座部１２から外し、外袋２０の開口もまた、紐で縛って閉じる。二重に閉じた処理袋は、所定の保管場所へ移動させる。
【０００６】
トイレは、一人の人間が一日に数回は使う。つまり、電気や水道が使えない場合に必要となる災害時トイレに関しては、図１に示す便器１０は一つで済んでも、処理袋２０は、数日間に数人が必要とする数だけで数十から百個単位で必要となる。
【０００７】
以上のような災害時トイレについて、本願発明者が先行技術を調査したところ、いくつかの関連技術が発見された。
【０００８】
特許文献１には、『排便用品などの危機管理対策用品が水害などによって水に長時間浸かってしまった後にでも確実に使用できるようにして、その本来の目的を達成することができるようにした危機管理対策用ボックス』が開示されている。
【０００９】
特許文献２に開示された技術は、『組立性や保管性が良好で、耐久性の高く、便座に着座した際の安定性と使用感の良好な組立トイレ』が開示されている。
【先行技術文献】
【特許文献】
【００１０】
【特許文献１】特開２０１６−１８８０９９号公報
【特許文献２】特許第６２１８９０７号公報
【発明の概要】
【発明が解決しようとする課題】
【００１１】
さて、災害時トイレについて、多くの数が必要となると、その収納場所の確保が必要となる。この点について、特許文献１に開示された技術は、一定の解決策を提供している。しかし、一般家庭において採用できる技術とは言いがたい。
【００１２】
また、数多くの災害時トイレに対する収納空間が準備されても、その収納空間への運び込み、その収納空間からの運び出しの作業までを考える必要がある。その点について、特許文献１、２に開示された技術では不十分である。
【００１３】
本願発明の目的は、ある程度の数の災害時トイレについて、保管、運搬、使用後の利便性を高める技術を提供することにある。
【課題を解決するための手段】
【００１４】
（第一の発明）
本願における第一の発明は、非常時にトイレの汚物入れとなる処理袋（２０Ａ）を多数収納する収納箱（６０）を包む収納袋（４０）に係る。
この収納袋（４０）は、防水性のある熱可塑性樹脂製であって、
収納空間（４０Ａ）の開口側とは反対側の端部が閉じられた溶着辺（上端溶着辺４１）と、
その溶着辺（４１）の開口側へ運搬時における運搬者の手を入れるための取っ手孔（４４）と、
その取っ手孔（４４）を補強するための板状の補強部材（補強紙片５０）と、
その補強部材（５０）が前記の取っ手孔（４４）における開口側にて取っ手孔（４４）の長手方向で所定位置に納まるようにするために収納袋（４０）を溶着する取っ手横溶着辺（４２）と、
前記の収納箱（６０）を前記の収納空間（４０Ａ）へ収納した場合に、前記の補強部材（５０）が収納箱（６０）側へ移動しないようにするための取っ手下溶着辺（４３）と、
前記の収納箱（６０）を前記の収納空間（４０Ａ）へ収納した状態で収納空間（４０Ａ）から脱気した状態で密閉するための脱気後溶着辺（４５）と、
を備えた収納袋（４０）である（図６、図９参照）。
【００１５】
（作用）
収納袋（４０）は、収納空間（４０Ａ）の開口側とは反対側の端部が予め閉じられた溶着辺（４１）を備えた防水袋として準備する（図３（ａ）参照）。
開口側から収納空間（４０Ａ）へ補強部材（５０）を入れる（図３（ｂ）参照）。そして、溶着辺（４１）の開口側へ運搬時における運搬者の手を入れるための取っ手孔（４４）を形成する。また、補強部材（５０）が取っ手孔（４４）における開口側にて取っ手孔（４４）の長手方向で所定位置に納まるようにするために収納袋（４０）を溶着し、取っ手横溶着辺（４２）を形成する。また、補強部材（５０）が収納箱（６０）側へ移動しないように収納袋（４０）を溶着し、取っ手下溶着辺（４３）を形成する（図３（ｃ）参照）。
【００１６】
次に、収納箱（６０）を収納空間（４０Ａ）へ収納し、収納空間（４０Ａ）から脱気し、その状態で密閉するために収納袋（４０）を溶着し、脱気後溶着辺（４５）を形成する（図５参照）。
【００１７】
収納箱（６０）は、防水性のある収納袋（４０）に包まれて密閉されているので、収納箱（６０）の内容物である処理袋（２０Ａ）は、水気から守られる。たとえば、保管場所が浸水しても、保管の安全性を高められる。
収納袋（４０）に包まれた状態の収納箱（６０）を保管場所へ運搬したり、使用するために運んだりする場合、取っ手孔（４４）へ運搬者が手を入れて運ぶことができる。その際、補強材（５０）があるので、取っ手孔（４４）が破れる事態を抑制できる。
【００１８】
（第一の発明のバリエーション１）
第一の発明は、以下のようにしてもよい。
すなわち、前記の脱気後溶着辺（４５）における前記の取っ手孔（４４）の側には、前記の取っ手下溶着辺（４３）を底面として再び収納空間（４０Ａ）を形成するために脱気後溶着辺（４５）を切り離す基準となる切断基準線（４７）を備える（図７（ａ），（ｂ）参照）。
切断基準線（４７）は、収納空間（４０Ａ）の脱気状態、防水状態を劣化させないことが望ましい。よって、ミシン目などではなく、単なる印（切り取り作業者の目安）としていることが望ましい。
【００１９】
（作用）
切断基準線（４７）に沿って脱気後溶着辺（４５）を切り離すと、取っ手下溶着辺（４３）を底面として再び収納空間（４０Ａ）とした収納袋（４０）となる。
その収納袋（４０）は、使用後の処理袋（２０）を収納するなどの用途として使える。
【００２０】
（第一の発明のバリエーション２）
第一の発明は、以下のようにしてもよい。
すなわち、前記の収納袋（４０）の素材である熱可塑性樹脂製は透明なものを採用し、前記の補強部材（５０）には、収納袋（４０）の使い方の説明を印刷している。
【００２１】
「使い方の説明」とは、たとえば、収納箱（６０）の中身の説明、取っ手孔（４４）の使い方、切断基準線（４７）の意味やその切断基準線（４７）を切り離した後に使用後の処理袋（２０）を収納できる旨、などである。
【００２２】
（作用）
補強部材（５０）には収納袋（４０）の使い方の説明が印刷されており、収納袋（４０）の素材である熱可塑性樹脂製が透明なので、脱気防水状態でも、使い方の説明を読むことができる。
【００２３】
（第一の発明のバリエーション３）
第一の発明は、以下のようにしてもよい。
すなわち、前記の収納箱（６０）の外側であって前記の収納空間（４０Ａ）の内側には、折り畳んだ中袋（７０）を備える（図６（ｂ）参照）。その中袋（７０）は、折り畳んだ状態から広げた状態として前記の収納袋（４０）に内包させ、前記の処理袋（２０Ａ）の使用済みのものを入れる不透明な袋体とする（図７（ｂ）参照）。
【００２４】
収納箱（６０）を使う段階となった場合、収納袋（４０）から収納箱（６０）を取り出すと、中袋（７０）も取り出すことができる。中袋（７０）は、前記の収納袋（４０）に内包させ、前記の処理袋（２０Ａ）の使用済みのものを入れることができる。
ただし、中袋（７０）について、別の使い方をすることを禁ずるものではない。屎尿のほか、吐瀉物、介護に伴う汚物、ペットの糞尿などの汚物を入れるのに用いることも、当然可能である。
【００２５】
（第一の発明のバリエーション４）
第一の発明は、前記の収納袋（４０）について、透明とし、光触媒を有することとしてもよい。
【００２６】
（用語説明）
「光触媒」とは、酸化チタンを主とした触媒であって、光（紫外線）が当たると有機物を分解したり殺菌したりする。たとえば、鉄イオンをドープした酸化チタンの表面の一部をアパタイトで被覆したものは、可視光でも触媒作用があるので、好ましく用いられる。
「光触媒を有する」としているのは、収納袋（４０）の素材の中に含まれる場合のほか収納袋（４０）の内側面へ塗布されるような場合も含む趣旨である。
【００２７】
「収納袋（４０）」が「透明」としているのは、紫外線を透過し、光触媒が反応できるようにするためである。無色透明のほか、有色透明でもよい。素材としては、たとえば、ポリエチレンである。鉄イオンをドープした酸化チタンの表面の一部をアパタイトで被覆した光触媒を採用した場合には、可視光が透過すればよい。
【００２８】
（作用）
収納袋（４０）は透明なので、紫外線を通す。紫外線を浴びた光触媒が有機物を分解して臭いの発生を抑制したり、微生物を殺菌したりすることができる。
【００２９】
（第二の発明）
第二の発明は、第一の発明および後述する第五の発明に係る収納袋（４０）へ収納され、非常時にトイレの汚物入れとなる処理袋を（２０Ａ）多数収納した収納箱（５０）に係る。
【００３０】
（第三の発明）
第三の発明は、第一の発明に係る収納袋（４０）の製造方法に係る。
すなわち、非常時にトイレの汚物入れとなる処理袋（２０Ａ）を多数収納する収納箱（６０）を包む防水性のある熱可塑性樹脂製の収納袋（４０）の製造方法であり、
開口側とは反対側の端部が閉じられた溶着辺（４１）を備えた収納袋（４０）に対して、前記の溶着辺（４１）の開口側へ運搬時における運搬者の手を入れるための取っ手孔（４４）を形成した場合に、その取っ手孔（４４）を補強するための板状の補強部材（補強紙片５０）を挿入する補強部材挿入工程と、
前記の取っ手孔（４４）を形成する取っ手孔製造工程と、
前記の収納箱（６０）を前記の収納空間（４０Ａ）へ収納した場合に、前記の補強部材（５０）が収納箱（６０）側へ移動しないようにするための取っ手下溶着辺（４３）を形成する取っ手下溶着工程と、
前記の収納空間（４０Ａ）へ前記の収納箱（６０）を収納する収納工程と、
前記の収納空間（４０Ａ）から脱気をする脱気工程と、
その脱気工程にて空気を抜いた状態で前記の収納空間（４０Ａ）を密閉する脱気後溶着工程と、
を含む。
【００３１】
（第四の発明）
第四の発明もまた、第一の発明に係る収納袋（４０）の製造方法に係る。
すなわち、  非常時にトイレの汚物入れとなる処理袋（２０Ａ）を多数収納する収納箱（６０）を包む防水性のある熱可塑性樹脂製の収納袋（４０）の製造方法であって、
開口側とは反対側の端部が閉じられた溶着辺（４１）を備えた収納袋に対して、補強部材（補強紙片５０）を開口側から挿入する補強部材挿入工程と、
前記の溶着辺（４１）の開口側へ運搬時における運搬者の手を入れるための取っ手孔を形成する取っ手孔製造工程と、
前記の収納箱（６０）を前記の収納空間（４０Ａ）へ収納した場合に、前記の補強部材（５０）が収納箱（６０）側へ移動しないようにするための取っ手下溶着辺（４３）を形成する取っ手下溶着工程と、
前記の収納空間（４０Ａ）へ前記の収納箱（６０）を収納する収納工程と、
前記の収納空間（４０Ａ）から脱気をする脱気工程と、
その脱気工程にて空気を抜いた状態で前記の収納空間（４０Ａ）を密閉する脱気後溶着工程と、
を含む（図８，図９参照）。
【００３２】
（第五の発明）
第五の発明もまた、非常時にトイレの汚物入れとなる処理袋（２０Ａ）を多数収納する収納箱（６０）を包む収納袋（４０）に係る。
この収納袋（４０）は、防水性のある熱可塑性樹脂製であって、
前記の収納箱（６０）を収納空間（４０Ａ）へ収納した開口側を溶着して脱気した場合に、前記の収納箱（６０）の外形に対して余る部位を収納箱（６０）の輪郭に沿って折り畳んで折り返し片（４６，４６）として形成し、
その折り返し片（４６，４６）を向かい合わせてつなげる折り返し部固定片（５５，５６，５７）を備え、
その折り返し部固定片（５５，５６，５７）は、前記の収納袋（４０）と折り返し部固定片（５５，５６，５７）との間に手を入れて前記の収納箱（６０）を包む収納袋（４０）を持ち上げ可能であるように形成する。（図１１、図１２参照）。
【００３３】
（用語説明）
「折り返し部固定片」とは、たとえば、片面を粘着面とした樹脂製テープである。二枚の折り返し部固定片で上下から挟むようにして形成する場合（図１０〜１１）、一枚の折り返し部固定片を丸めるようにして挟んで形成する場合（図１２）、などがある。
【００３４】
（作用）
収納袋（４０）の折り返し片（４６，４６）は、収納箱（６０）の両側を挟んでおり、折り返し部固定片（５５，５６，５７）は、収納袋（４０）と折り返し部固定片（５５，５６，５７）との間に手を入れて収納箱（６０）を包む収納袋（４０）を持ち上げ可能である。したがって、収納袋（４０）を手で持ち運びしやすい。
【００３５】
（第五の発明のバリエーション）
第五の発明においては、前記の折り返し部固定片には、持ち上げる部位である旨を記載した説明欄を備えることが好ましい。
たとえば、折り返し貼付片（５５，５６，５７）において、上面をなすこととなる面へ予め印刷しておく、または上面をなした面へ別の印刷シールにて固定する、といった手段を採用する。
【発明の効果】
【００３６】
第一および第五の発明によれば、ある程度の数の災害時トイレについて、保管、運搬、使用後の利便性を高める収納袋を提供することができた。
第二の発明によれば、ある程度の数の災害時トイレについて、保管、運搬、使用後の利便性を高める収納箱を提供することができた。
第三および第四の発明によれば、ある程度の数の災害時トイレについて、保管、運搬、使用後の利便性を高める収納袋の製造方法を提供することができた。
【図面の簡単な説明】
【００３７】
【図１】従来の非常用トイレについて主要部材とその使い方を示す斜視図である。
【図２】本願発明に用いる非常用トイレとして用いる処理袋と、その処理袋を多数収納する収納箱の関係を示す図である。
【図３】本願発明に係る収納袋の製造手順を示す図である。
【図４】本願発明に係る収納袋の製造手順を示す図である。
【図５】本願発明に係る収納袋の製造手順を示す図である。
【図６】本願発明に係る収納袋が収納箱を収納した状態を示す図である。
【図７】本願発明に係る収納袋から収納箱を取り出した後での使い道となる汚物袋の作成手順を示す図である。
【図８】本願発明に係る収納袋の製造手順や補強紙片のバリエーションを示す図である。
【図９】補強紙片の形状を異ならせた収納袋が収納箱を収納した状態を示す図である。
【図１０】本願発明に用いる非常用トイレとして用いる処理袋と、その処理袋を多数収納する収納箱に関する別の実施形態について、組立手順を示す斜視図である。
【図１１】図１１に示した組立手順の続き（ａ）、および使い方を示す側面図である。
【図１２】別の実施形態を示す斜視図である。
【図１３】持ち手部分の平面図およびその部分拡大図である。
【発明を実施するための形態】
【００３８】
以下、図面を用いて本発明を更に詳しく説明する。ここで使用する図面は、図２から図１３であるが、図１も参照する。
【００３９】
（図２）
図２（ａ）では、従来技術で示した処理袋２１を示し、図２（ｂ）では、処理袋２１を畳んで空気を抜き、薄いパッケージへ収めた処理袋２０Ａを示している。図２（ｃ）では、その薄いパッケージに収めた処理袋２０Ａを多数積層させた様子を示し、図２（ｄ）では、多数の処理袋２０Ａを納められる収納箱６０を示している。
【００４０】
図２（ｄ）には、非常用トイレキット箱として、１００枚の処理袋２０Ａを収納できる収納箱６０の寸法を一例として図示している。
本願発明に係る収納袋は、この収納箱６０をパッケージする役割を担う。
【００４１】
（図３）
図３には、収納箱６０をパッケージとして採用できる防水性能のある収納袋４０に対して、収納箱６０をパッケージ化した状態で持ち運べる取っ手孔４４を形成する順序を示している。図３（ａ）では、筒状の防水素材の筒の一端を溶着することで袋状に形成された防水収納袋４０が、本実施形態における収納袋４０へ加工されていく前の状態を示している。溶着された端部は、上端溶着辺４１とする。
【００４２】
図３（ｂ）では、取っ手用孔４４の補強材となる補強紙片５０を、防水収納袋４０における収納空間４０Ａへ挿入する工程を示している。挿入後、上端溶接辺４１へ接するように配置する。
【００４３】
図３（ｃ）では、補強紙片５０よりも開口側へ取っ手用孔４４を打ち抜いて取っ手用孔４４を形成するとともに、その取っ手用孔４４の開口側へ取っ手下溶接辺４３を、取っ手用孔４４の両側へ取っ手横溶接辺４２を形成した様子を示している。収納空間４０Ａは、取っ手下溶接辺４３が位置する分だけ小さくなる。
取っ手用孔４４は、溶接辺４２，４３を形成した後で形成される場合が多いが、その順序が変更されることと本願発明の本旨とは関係がない。
【００４４】
（図４）
図４には、上端溶着辺４１、取っ手横溶着辺４２に沿って切断し、取っ手があって底が抜けた状態の防水収納袋４０を形成する手順を示している。
【００４５】
（図５）
図５（ａ）には、防水収納袋４０の収納空間４０Ａへ、図２に示した収納箱６０を収納した状態を示している。  図５（ｂ）には、収納箱６０を収納した後に収納空間４０Ａから余分な空気を抜き、その状態を保ったまま開口を閉じて溶着した様子を示している。その溶着部は脱気後溶着片４５とする。その脱気後溶着片４５の取っ手用孔４４側には、切断基準線４６が描かれる。
【００４６】
（図６）
図６（ａ）、（ｂ）には、図５（ｂ）で示された状態から、収納箱６０の形状に合わせて余分な部分を織り込み、接着テープにて固定した様子を示している。
【００４７】
なお、図６（ｂ）には、収納箱６０と防水収納袋４０との間に、折りたたんだ状態の中袋７０が存在していることも示している。この中袋７０は、図５（ａ）の段階で収納箱６０とともに収納空間４０Ａへ入れている。中袋７０の使い道については、後述する。
【００４８】
（図７）
図７（ａ）は、収納箱６０を収納した防水収納袋４０の取っ手用孔４４側を下にして、切断基準線４７に沿って、防水収納袋４０から脱気後溶着片４５の部分を切り取る直前を示している。切り取ったら、収納箱６０および中袋７０を防水収納袋４０から取り出し、パッケージ化された処理袋２０Ａ（図２参照）を使う。
【００４９】
（図７）
図７（ｂ）は、脱気後溶着片４５の部分を切り取って収納箱６０を取り出すことで、再び収納空間４０Ａを形成した防水収納袋４０を活用する様子を示している。たとえば、トイレとして使用した処理袋２０を収納するゴミ袋として活用するのである。この際、収納箱６０と一緒に取り出した中袋７０を防水収納袋４０の内側へ配置すれば、二重構造となり、臭いを漏れにくくすることに寄与する。
【００５０】
防水収納袋４０の内面に、光触媒を塗布しておくと、臭いの抑制や雑菌の繁殖の抑制に寄与するので、望ましい。光触媒は、防水収納袋４０の素材へ練り込んでおくこととしてもよい。
【００５１】
図示を省略しているが、補強紙片５０には、脱気後溶着片４５の部分を切り取って収納箱６０を取り出す旨、中袋７０を含めた込み袋としての防水収納袋４０の使い方、などを印刷してある。ユーザにとって使いやすくするためである。
【００５２】
（図８）
図８（ａ）は、補強紙片５０Ａのバリエーションを示す。この図で示す補強紙片５０Ａは、防水収納袋の内側幅寸法と、取っ手部分として形成される部位の縦寸法をなす。
【００５３】
取っ手横溶着辺４２、取っ手下溶着辺４３を形成したら取って用孔４４を打ち抜き、取っ手部分を形成する。このように製造する場合、補強紙片５０Ａが取っ手用孔４４の全周に位置することとなる。取っ手用孔４４の上部分のみを補強することとした前述の実施形態よりも、取っ手部分の強度を高めている。
【００５４】
（図９）
図９（ａ）、（ｂ）は、補強紙片５０Ａおよび取っ手部分の横方向寸法が、図６に示した実施形態と異なるのみである。
【００５５】
（図１０）
図１０には、本願発明に用いる非常用トイレとして用いる処理袋と、その処理袋を多数収納する収納箱に関する別の実施形態を示す。
すなわち、収納箱（非常用トイレキット箱）６０を収納空間へ収納した開口側を溶着して脱気した場合に、前記の収納箱６０の外形に対して余る部位を収納箱の輪郭に沿って折り畳んで折り返し片４６，４６として形成している（図１０（ａ））。
【００５６】
折り返し片４６の一方（図１０（ｂ）では手前側）には、片面を粘着面とした樹脂製テープとした折り返し部固定下片５５を、その半分だけ内側へ貼る。そして、その折り返し部固定下片５５を水平となるようにしてから、残り半分に他方の折り返し片４６を水平にする。そのことで、その折り返し片４６と始めから折り返し部固定下片５５を貼っていた側の折り返し片４６とがつながる。
【００５７】
（図１１）
図１１（ａ）には、前述した折り返し部固定下片５５の上から、折り返し部固定上片５６を貼付した状態を示している。
【００５８】
図１１（ｂ）には、折り返し部固定下片５５および折り返し部固定上片５６にて形成された持ち手部分が、収納袋４０と折り返し部固定片５５，５６との間に手を入れて前記の収納箱６０を包む収納袋４０を持ち上げ可能であるように形成した旨を示している。
【００５９】
（図１２）
図１２では、持ち手部分の形成方法についての他の実施形態を示している。すなわち、折り返し部貼付片５７を丸め、折り返し片４６，４６を上下から挟むように貼付することで、持ち手部分を形成するのである。
【００６０】
（図１３）
図１３では、持ち部分の上面に、使い方説明シール５８を貼付した状態を示している。この使い方シール５８は、透明な収納袋４０の中で不透明な箇所となっているので、ユーザに対して目立つ。そのため、説明が目に付きやすく、持ち手としてすぐに使うことをイメージできることが期待できる。
【００６１】
以上のような実施形態にて製造され、提供される防水収納袋４０、およびその防水収納袋４０に収納された収納箱６０によれば、１００個単位の災害時トイレについて、保管、運搬、使用後の利便性を高めることができる。たとえば、収納箱６０は脱気していることで僅かだがコンパクト化している。自治組織における防災備品の保管場所への運び入れや取り出しが、防水収納袋４０取っ手部分の存在で高められている。防水収納袋４０は、トイレとして使用した処理袋２０を収納するゴミ袋として活用できる。
【産業上の利用可能性】
【００６２】
本発明は、災害時用品の製造業やレンタル業、災害時用品を保管するとともに災害時には配布する行政サービスなどにおいて利用可能性を有する。
【符号の説明】
【００６３】
１０  ；便器
１１  ；本体                        １２  ；便座
１３  ；内部空間
２０  ；処理袋                      ２０Ａ；パッケージ化した処理袋
２１  ；外袋
２５  ；内袋
４０  ；収納袋（防水収納袋）        ４０Ａ；収納空間
４１  ；上端溶着辺                  ４２  ；取っ手横溶着辺
４３  ；取っ手下溶着辺              ４４  ；取っ手用孔
４５  ；取っ手下溶着辺
４６  ；折り返し片
５０  ；補強紙片                    ５０Ａ；補強紙片（大きいもの）
５５  ；折り返し部下貼付片          ５６  ；折り返し部上貼付片
５７  ；折り返し部貼付片            ５８；使い方説明シール
６０  ；収納箱（非常用トイレキット箱）
７０  ；中袋
【図１】
2020186053.tif 000003
【図２】
2020186053.tif 000004
【図３】
2020186053.tif 000005
【図４】
2020186053.tif 000006
【図５】
2020186053.tif 000007
【図６】
2020186053.tif 000008
【図７】
2020186053.tif 000009
【図８】
2020186053.tif 000010
【図９】
2020186053.tif 000011
【図１０】
2020186053.tif 000012
【図１１】
2020186053.tif 000013
【図１２】
2020186053.tif 000014
【図１３】
2020186053.tif 000015